(57)【要約】【課題】長寿命化と低消費電力化を図ることができるラインヘッド及びラインヘッドの駆動方法を提供する。【解決手段】ラインヘッドＨは、ライン状に光を構成する各露光スポットに光をそれぞれ出射する有機ＥＬ素子３３を有する第１露光用発光部Ｈａ１と、同じくライン状に光を構成する各露光スポットに光をそれぞれ出射する有機ＥＬ素子３３を有する第２露光用発光部Ｈａ２を備えた。第２露光用発光部Ｈａ２の有機ＥＬ素子３３を構成する第２電子注入層材料の仕事関数又はイオン化ポテンシャルの値を、第１露光用発光部Ｈａ１の有機ＥＬ素子３３を構成する第１電子注入層材料の仕事関数又はイオン化ポテンシャルの値より大きくなるよう構成した。各露光スポットにおいて、低輝度発光で露光する場合には第１露光用発光部Ｈａ１の有機ＥＬ素子３３を発光させ、高輝度発光で露光する場合には第２露光用発光部Ｈａ２の有機ＥＬ素子３３を発光させるようにした。【選択図】図３
2008062411.tif 000002
【特許請求の範囲】
【請求項１】
基板上に、複数の第１発光素子を整列配置した第１発光部と、複数の第２発光素子を整
列配置した第２発光部とが設けられたラインヘッドであって、
前記第１発光素子と前記第２発光素子とを同一の発光輝度で駆動した場合、前記第１発
光素子の消費電力は、前記第２発光素子の消費電力よりも小さく、かつ、前記第１発光素
子の駆動時間に対する発光輝度の減衰量が、前記第２発光素子の駆動時間に対する発光輝
度の減衰量よりも大きいことを特徴とするラインヘッド。
【請求項２】
前記第１発光素子及び、前記第２発光素子が、少なくとも１層の発光機能を有する有機
層を含む有機エレクトロルミネッセンス素子であることを特徴とする請求項１に記載のラ
インヘッド。
【請求項３】
前記第１発光素子の発光機能を有する有機層を構成する発光材料の仕事関数又はイオン
化ポテンシャルの値と、電子注入材料の仕事関数又はイオン化ポテンシャルの値との差が
、前記第２発光素子の発光機能を有する有機層を構成する発光材料の仕事関数又はイオン
化ポテンシャルの値と、電子注入材料の仕事関数又はイオン化ポテンシャルの値との差が
、異なることを特徴とする請求項２に記載のラインヘッド。
【請求項４】
前記第１発光素子及び、前記第２発光素子が、無機ＬＥＤより少なくともなることを特
徴とする請求項１に記載のラインヘッド。
【請求項５】
前記第１発光部及び、前記第２発光部が、同一のフレキシブル基板に形成されたことを
特徴とする請求項１乃至４のいずれか一項に記載のラインヘッド。
【請求項６】
前記第１発光部は、複数の第１発光素子を一方向に整列配置されてなり、
前記第２発光部は、複数の第２発光素子を一方向に整列配置されてなり、
前記第１発光部と前記第２発光部とは、前記基板上で平行に配設されることを特徴とす
る請求項１乃至５のいずれか一項に記載のラインヘッド。
【請求項７】
前記第１発光部は、複数の第１発光素子を一方向に整列配置した第１発光素子列が複数
列平行に配設されてなり、
前記第２発光部は、複数の第２発光素子を一方向に整列配置した第２発光素子列が複数
列平行に配設されてなり、
前記第１発光部と前記第２発光部とは、前記基板上で平行に配設されることを特徴とす
る請求項１乃至５のいずれか一項に記載のラインヘッド。
【請求項８】
前記第１発光部は、複数の第１発光素子が千鳥格子状に配設されてなり、
前記第２発光部は、複数の第２発光素子が千鳥格子状に配設されてなされることを特徴
とする請求項７に記載のラインヘッド。
【請求項９】
複数の発光素子を整列配置したラインヘッドと、前記ラインヘッドからの光によって露
光される回転可能な感光体ドラムとを備えた露光装置であって、
前記ラインヘッドとして、請求項１乃至８のいずれか一項に記載のラインヘッドを用い
、
前記感光体ドラムの回転軸と前記第１発光部と前記第２発光部とが平行になるように配
置されたことを特徴とする露光装置。
【請求項１０】
前記露光装置は、制御回路を備え、
該制御回路は、外部から供給される露光データに基づいて、前記第１発光部を駆動させ
るための第１階調データ、及び、前記第２発光部を駆動させるための第２階調データを生
成することを特徴とする請求項９に記載の露光装置。
【請求項１１】
基板上に、複数の第１発光素子を整列配置した第１発光部と、複数の第２発光素子を整
列配置した第２発光部とが設けられたラインヘッドと、前記ラインヘッドからの出射光に
よって露光される回転可能な感光体ドラムと、を備えた露光装置による露光方法であって
、
前記第１発光部と前記第２発光部とは、前記第１発光素子と前記第２発光素子とを同一
の発光輝度で駆動した場合、前記第１発光素子の消費電力は、前記第２発光素子の消費電
力よりも小さく、かつ、前記第１発光素子の駆動時間に対する発光輝度の減衰量は、前記
第２発光素子の駆動時間に対する発光輝度の減衰量よりも大きくなるように形成されてお
り、
前記ラインヘッドを低輝度発光させて前記感光体ドラムを露光させる場合は、前記第１
発光部を選択して発光させることにより前記感光体ドラムを露光させ、
前記ラインヘッドを高輝度発光させて前記感光体ドラムを露光させる場合は、前記第２
発光部を選択して発光させることにより前記感光体ドラムを露光させることを特徴とする
露光方法。
【請求項１２】
前記露光装置は、外部から供給される露光データが入力される制御回路を有し、
前記露光データが、前記ラインヘッドを低輝度発光させて前記感光体ドラムを露光させ
る場合には、前記制御回路は、前記第１発光部を駆動させるための第１階調データを生成
して、前記第１発光部を選択して発光させることにより前記感光体ドラムを露光させ、
前記露光データが、前記ラインヘッドを高輝度発光させて前記感光体ドラムを露光させ
る場合には、前記制御回路は、前記第２発光部を駆動させるための第２階調データを生成
して、前記第２発光部を選択して発光させることにより前記感光体ドラムを露光させるこ
とを特徴とする請求項１１に記載の露光方法。
【発明の詳細な説明】
【技術分野】
【０００１】
本発明は、ラインヘッド、露光装置及び露光方法に関する。
【背景技術】
【０００２】
電子写真方式を用いた画像形成装置には、像担持体としての感光体ドラムを露光して潜
像を形成する発光装置としてのラインヘッド（露光用ヘッド）が利用されている。一般に
、ラインヘッドの発光源としてはレーザ光が使用されている。ところで、近年、ラインヘ
ッドにおいては、低コスト、省スペース、低消費電力化が求められている。そこで、ライ
ンヘッドの発光源として、有機エレクトロルミネッセンス素子（有機ＥＬ素子）を用いる
ものが注目されている。例えば、特許文献１では、光の取り出し効率を向上するために、
有機ＥＬ素子から発光された光を集光するレンズ、いわゆるマイクロレンズを光取り出し
面上に設ける提案がなされている。
【０００３】
【特許文献１】特開２００３−２９１４０４号公報
【発明の開示】
【発明が解決しようとする課題】
【０００４】
しかしながら、上記するラインヘッドでは、マイクロレンズによって光の取り出し効率
は向上するももの、発光源として有機エレクトロルミネッセンス素子（有機ＥＬ素子）の
寿命が、従来のレーザを発光源とするものより短いことが知られている。従って、交換時
期が短くなり、メンテナンスのための負荷が問題になる。
【０００５】
本発明は、上記問題を解決するためになされたものであり、その目的は、ラインヘッド
の長寿命化を図ることができるとともに、低消費電力化を図ることができるラインヘッド
及びラインヘッドの駆動方法を提供することにある。
【課題を解決するための手段】
【０００６】
本発明のラインヘッドは、基板上に、複数の第１発光素子を整列配置した第１発光部と
、複数の第２発光素子を整列配置した第２発光部とが設けられたラインヘッドであって、
前記第１発光素子と前記第２発光素子とを同一の発光輝度で駆動した場合、前記第１発光
素子の消費電力は、前記第２発光素子の消費電力よりも小さく、かつ、前記第１発光素子
の駆動時間に対する発光輝度の減衰量が、前記第２発光素子の駆動時間に対する発光輝度
の減衰量よりも大きいことを特徴とする。
【０００７】
このラインヘッドによれば、低輝度（低光量）で発光させて露光用の光を出射する場合
は、前記第１発光部の第１発光素子を発光させ、高輝度（高光量）で発光させて露光用の
光を出射する場合は、前記第２発光部の第２発光素子を発光させるようにすることができ
る。これによって、第１及び第２発光部の発光素子の負荷はそれぞれ軽減されるとともに
、第１発光素子と第２発光素子に適した駆動電源で発光制御をすることができることから
消費電力を軽減することができる。
【０００８】
このラインヘッドにおいて、前記第１発光素子及び、前記第２発光素子が、少なくとも
１層の発光機能を有する有機層より少なくともなる有機エレクトロルミネッセンス素子で
あってもよい。
【０００９】
このラインヘッドによれば、高光量で発光させて露光用の光を出射する場合は、前記第
２発光部の第２発光素子を発光させ、低光量で発光させて露光用の光を出射する場合は、
前記第１発光部の第１発光素子を発光させるようにすることができる。これによって、第
１及び第２発光部の有機エレクトロルミネッセンス素子の負荷はそれぞれ軽減されるとと
もに、第１発光素子と第２発光素子に適した駆動電源で発光制御をすることができること
から消費電力を軽減することができる。
【００１０】
このラインヘッドにおいて、前記第１発光素子の発光機能を有する有機層を構成する発
光材料の仕事関数又はイオン化ポテンシャルの値と、電子注入材料の仕事関数又はイオン
化ポテンシャルの値との差が、前記第２発光素子の発光機能を有する有機層を構成する発
光材料の仕事関数又はイオン化ポテンシャルの値と、電子注入材料の仕事関数又はイオン
化ポテンシャルの値との差が、異なっていてもよい。
【００１１】
このラインヘッドによれば、例えば、第１発光部の有機エレクトロルミネッセンス素子
の発光材料と第２発光部の有機エレクトロルミネッセンス素子の発光材料より少なくとも
なる層の形成条件を同じにして、かつ第１発光部の有機エレクトロルミネッセンス素子の
第１電子注入材料の仕事関数又はイオン化ポテンシャルの値が、第２発光部の有機エレク
トロルミネッセンス素子の第２電子注入材料の仕事関数又はイオン化ポテンシャルの値よ
りも小さい場合、電子注入材料より少なくともなる層から発光材料より少なくともなる層
への電子注入性の違いから、第２発光部の有機エレクトロルミネッセンス素子は、第１発
光部の有機エレクトロルミネッセンス素子に比べて、高光量の発光に対して耐久性がある
。また、第１発光部の有機エレクトロルミネッセンス素子は、第２発光部の有機エレクト
ロルミネッセンス素子に比べて、低光量の発光に対して駆動電流を小さくでき消費電力を
軽減することができる。
【００１２】
このラインヘッドにおいて、前記発光部が無機ＬＥＤからなっていてもよい。
【００１３】
このラインヘッドによれば、高光量で発光させて露光用の光を出射する場合は、第２発
光部の第２発光素子を発光させ、低光量で発光させて露光用の光を出射する場合は、第１
発光部の第１発光素子を発光させるようにすることができる。これによって、第１及び第
２発光部の発光素子の負荷はそれぞれ軽減されるとともに、第１発光素子と第２発光素子
に適した駆動電源で発光制御をすることができることから消費電力を軽減することができ
る。
【００１４】
このラインヘッドにおいて、前記各発光部は、１つのフレキシブル基板に形成されてい
てもよい。
【００１５】
このラインヘッドによれば、フレキシブル基板を湾曲させることが容易なので、各発光
部の対応する発光素子同士を、それぞれ互いに被出射体の同じ点に照射する位置合わせが
容易に行える。
【００１６】
本発明のラインヘッドは、前記第１発光部は、複数の第１発光素子を一方向に整列配置
されてなり、前記第２発光部は、複数の第２発光素子を一方向に整列配置されてなり、前
記第１発光部と前記第２発光部とは、前記基板上で平行に配設されることを特徴とする。
さらに、前記第１発光部は、複数の第１発光素子を一方向に整列配置した第１発光素子列
が複数列平行に配設されてなり、前記第２発光部は、複数の第２発光素子を一方向に整列
配置した第２発光素子列が複数列平行に配設されてなり、前記第１発光部と前記第２発光
部とは、前記基板上で平行に配設されることを特徴とする。
【００１７】
この構成により。感光体ドラムの回転軸と第１発光部及び第２発光部とを平行に配置す
ることが容易となり、露光装置への応用が容易となる。
【００１８】
本発明のラインヘッドは、前記第１発光部は、複数の第１発光素子が千鳥格子状に配設
されてなり、前記第２発光部は、複数の第２発光素子が千鳥格子状に配設されてなされる
ことを特徴とする。この構成により、ラインヘッドの光量あるいは輝度の向上させること
ができる。
【００１９】
また、本発明の露光装置は、複数の発光素子を整列配置したラインヘッドと、前記ライ
ンヘッドからの光によって露光される回転可能な感光体ドラムとを備えた露光装置であっ
て、前記ラインヘッドとして、請求項１乃至８のいずれか一項に記載のラインヘッドを用
い、前記感光体ドラムの回転軸と前記第１発光部と前記第２発光部とが平行になるように
配置されたことを特徴とする。
【００２０】
さらに、本発明の露光装置は、制御回路を備え、該制御回路は、外部から供給される露
光データに基づいて、前記第１発光部を駆動させるための第１階調データ、及び、前記第
２発光部を駆動させるための第２階調データを生成することを特徴とする。この構成によ
り、前記第１発光部または前記第２発光部を選択して発光させることが可能となる。
【００２１】
本発明の露光方法は、基板上に、複数の第１発光素子を整列配置した第１発光部と、複
数の第２発光素子を整列配置した第２発光部とが設けられたラインヘッドと、前記ライン
ヘッドからの出射光によって露光される回転可能な感光体ドラムと、を備えた露光装置に
よる露光方法であって、前記第１発光部と前記第２発光部とは、前記第１発光素子と前記
第２発光素子とを同一の発光輝度で駆動した場合、前記第１発光素子の消費電力は、前記
第２発光素子の消費電力よりも小さく、かつ、前記第１発光素子の駆動時間に対する発光
輝度の減衰量は、前記第２発光素子の駆動時間に対する発光輝度の減衰量よりも大きくな
るように形成されており、前記ラインヘッドを低輝度発光させて前記感光体ドラムを露光
させる場合は、前記第１発光部を選択して発光させることにより前記感光体ドラムを露光
させ、前記ラインヘッドを高輝度発光させて前記感光体ドラムを露光させる場合は、前記
第２発光部を選択して発光させることにより前記感光体ドラムを露光させることを特徴と
する。
【００２２】
さらに、本発明の露光方法は、前記露光装置は、外部から供給される露光データが入力
される制御回路を有し、前記露光データが、前記ラインヘッドを低輝度発光させて前記感
光体ドラムを露光させる場合には、前記制御回路は、前記第１発光部を駆動させるための
第１階調データを生成して、前記第１発光部を選択して発光させることにより前記感光体
ドラムを露光させ、前記露光データが、前記ラインヘッドを高輝度発光させて前記感光体
ドラムを露光させる場合には、前記制御回路は、前記第２発光部を駆動させるための第２
階調データを生成して、前記第２発光部を選択して発光させることにより前記感光体ドラ
ムを露光させることを特徴とする。
【００２３】
このラインヘッドの駆動方法によれば、例えば、露光データに基づいて低輝度（低光量
）の発光で露光用の光を出射する場合は、第１発光部の第１発光素子を発光させ、露光デ
ータに基づいて高輝度（高光量）の発光で露光用の光を出射する場合は、第２発光部の第
２発光素子を発光させるようにすることができる。これによって、第１及び第２発光部の
発光素子の負荷は軽減される。第１発光素子と第２発光素子の発光輝度に即した駆動電源
で発光制御をすることができるので、消費電力を軽減することができる。
【発明を実施するための最良の形態】
【００２４】
以下、本発明を具体化した実施形態について、図面を参照して説明する。
（第１実施形態）
【００２５】
以下、本発明を具体化した一実施形態を図１〜図４に従って説明する。図１は、画像形
成装置としての電子写真方式プリンタを示す概略側断面図である。
【００２６】
図１に示すように、画像形成装置としての電子写真方式プリンタ１０（以下単に、プリ
ンタ１０という。）は、箱体状に形成される筐体１１を備えている。その筐体１１内には
、駆動ローラ１２、従動ローラ１３及びテンションローラ１４が設けられ、駆動ローラ１
２、従動ローラ１３、テンションローラ１４に対して転写媒体としての中間転写ベルト１
５が張設されている。そして、駆動ローラ１２の回転によって、中間転写ベルト１５は、
図１における矢印方向に循環駆動可能に備えられている。
【００２７】
中間転写ベルト１５の上方には、４体の像担持体としての感光体ドラム１６が、中間転
写ベルト１５の張設方向（副走査方向Ｙ）に回転可能に併設されている。各感光体ドラム
１６の外周面には、光導電性を有する感光層１６ａ（図４参照）が形成されている。感光
層１６ａは、暗中でプラス又はマイナスの電荷を帯電し、所定の波長領域より少なくとも
なる光を照射されると、照射された部位の電荷が消失されるようになっている。すなわち
、プリンタ１０は、これら４体の感光体ドラム１６によって構成されるタンデム式のプリ
ンタである。
【００２８】
各感光体ドラム１６の周囲には、それぞれ帯電手段としての帯電ローラ１９、露光手段
を構成する発光装置としての有機エレクロトルミネッセンスアレイ露光装置２０（以下単
に、露光装置２０という。）、現像手段としてのトナーカートリッジ２１、転写手段を構
成する一次転写ローラ２２及びクリーニング手段２３が配設されている。
【００２９】
帯電ローラ１９は、感光体ドラム１６に密着する半導電性のゴムローラである。この帯
電ローラ１９に直流電圧を印加して感光体ドラム１６を回転すると、感光体ドラム１６の
感光層１６ａが、全周面にわたり所定の帯電電位に帯電するようになっている。
【００３０】
露光装置２０は、所定の波長領域の光を感光体ドラム１６に出射する。そして、露光装
置２０が印刷データに基づく光を鉛直方向Ｚ（図１参照）に出射（回転方向Ｒｏに回転す
る感光体ドラム１６に出射）すると、感光層１６ａが所定の波長領域の光に露光される。
すると、感光層１６ａは、露光された部位（露光スポット）の電荷を消失して、その外周
面に静電的な画像（静電潜像）を形成する。なお、この露光装置２０の露光する光の波長
領域は、感光層１６ａの分光感度と整合した波長領域である。つまり、露光装置２０の露
光する光の発光エネルギーのピーク波長は、前記感光層１６ａの分光感度のピーク波長と
略一致するようになっている。
【００３１】
トナーカートリッジ２１は、箱体形状に形成されて、その内部に着色粒子としてのトナ
ーＴを収容する。なお、本実施形態における４体のトナーカートリッジ２１には、それぞ
れ対応する４色（黒、シアン、マゼンタ及びイエロ）のトナーＴが収容されている。その
トナーカートリッジ２１には、感光体ドラム１６側から順に、現像ローラ２１ａと供給ロ
ーラ２１ｂが備えられている。供給ローラ２１ｂは、回転することによって、トナーＴを
現像ローラ２１ａまで搬送するようになっている。現像ローラ２１ａは、供給ローラ２１
ｂとの摩擦等によって、同供給ローラ２１ｂの搬送したトナーＴを帯電させるとともに、
帯電したトナーＴを同現像ローラ２１ａの外周面に均一に付着するようになっている。
【００３２】
そして、感光体ドラム１６に前記帯電電位と略等しいバイアス電位を印加した状態で、
供給ローラ２１ｂ及び現像ローラ２１ａを回転する。すると、感光体ドラム１６は、前記
露光スポットと現像ローラ２１ａ（トナーＴ）との間に、前記バイアス電位に相対する静
電吸着力を付与する。静電吸着力を受けたトナーＴは、同現像ローラ２１ｃの外周面から
前記露光スポットに移動して吸着する。これによって、各感光体ドラム１６（各感光層１
６ａ）の外周面には、それぞれ静電潜像に対応した単色の可視像（顕像）が形成される（
現像される）。
【００３３】
中間転写ベルト１５の内側面１５ａであって前記各感光体ドラム１６と対峙する位置に
は、それぞれ一次転写ローラ２２が設けられている。一次転写ローラ２２は、導電性ロー
ラであって、その外周面が中間転写ベルト１５の内側面１５ａに密着しながら回転する。
この一次転写ローラ２２に直流電圧を印加して感光体ドラム１６及び中間転写ベルト１５
を回転すると、感光層１６ａに吸着したトナーＴが、一次転写ローラ２２側への静電吸着
力よって中間転写ベルト１５の外側面１５ｂに順次移動して吸着するようになっている。
【００３４】
すなわち、一次転写ローラ２２は、感光体ドラム１６に形成した顕像を中間転写ベルト
１５の外側面１５ｂに一次転写する。そして、中間転写ベルト１５の外側面１５ｂは、各
感光体ドラム１６と一次転写ローラ２２によって、単色より少なくともなる顕像の一次転
写を４回繰り返し、これらの顕像を重ね合わせることによってフルカラーの画像（トナー
像）を得る。
【００３５】
クリーニング手段２３は、図示しないＬＥＤ等の光源とゴムブレードを備え、前記一次
転写後の感光層１６ａに光を照射して帯電した感光層１６ａを除電するようになっている
。そして、クリーニング手段２３は、除電した感光層１６ａに残留するトナーＴをゴムブ
レードによって機械的に除去する。
【００３６】
中間転写ベルト１５の下側には、記録用紙Ｐを収容した記録用紙カセット２４が配設さ
れている。その記録用紙カセット２４の上側には、記録用紙Ｐを中間転写ベルト１５側に
給紙する給紙ローラ２５が配設されている。その給紙ローラ２５の上側にあって駆動ロー
ラ１２と相対向する位置には、転写手段を構成する二次転写ローラ２６が配設されている
。二次転写ローラ２６は、前記各一次転写ローラ２２と同じく導電性ローラであって、記
録用紙Ｐの裏面を押圧し、同記録用紙Ｐの表面を中間転写ベルト１５の外側面１５ｂに接
触させている。そして、この二次転写ローラ２６に直流電圧を印加して中間転写ベルト１
５を回転すると、中間転写ベルト１５の外側面１５ｂに吸着したトナーＴが、記録用紙Ｐ
の表面上に順次移動して吸着する。すなわち、二次転写ローラ２６は、中間転写ベルト１
５の外側面１５ｂに形成されたトナー像を記録用紙Ｐの表面上に二次転写する。
【００３７】
二次転写ローラ２６の上側には、熱源を内蔵するヒートローラ２７ａと同ヒートローラ
２７ａを押圧する押圧ローラ２７ｂが配設されている。そして、二次転写後の記録用紙Ｐ
がヒートローラ２７ａと押圧ローラ２７ｂとの間に搬送されると、記録用紙Ｐ上に転写さ
れたトナーＴが、加熱によって軟化し、記録用紙Ｐ内に浸透して硬化する。これによって
、記録用紙Ｐの表面にトナー像が定着する。トナー像を定着させた記録用紙Ｐは、排紙ロ
ーラ２８によって筐体１１の外側に排出されるようになっている。
【００３８】
従って、プリンタ１０は、帯電した感光層１６ａを露光装置２０によって露光し、同感
光層１６ａに静電潜像を形成する。次に、プリンタ１０は、感光層１６ａの静電潜像を現
像して同感光層１６ａに単色の顕像を形成する。続いて、プリンタ１０は、感光層１６ａ
の顕像を中間転写ベルト１５上に順次一次転写して同中間転写ベルト１５上にフルカラー
のトナー像を形成する。そして、プリンタ１０は、中間転写ベルト１５上のトナー像を記
録用紙Ｐ上に二次転写し、加熱加圧によってトナー像を定着させて印刷を終了する。
【００３９】
次に、上記プリンタ１０に備えられ露光装置２０について詳細に説明する。図２は、露
光装置２０を示す概略正断面図である。図３は、露光装置２０を感光体ドラム１６側から
みた正面図である。図４は、露光装置２０を示す概略側断面図である。
【００４０】
露光装置２０は、図２に示すように、ラインヘッドＨには、光透過性のフレキシブル基
板３０を備えている。本実施形態では、フレキシブル基板３０は、アクリル樹脂よりなる
プラスチック基板で形成されている。フレキシブル基板３０は、その幅方向の長さが感光
体ドラム１６の軸方向の幅より若干長く形成されている。
【００４１】
そして、本実施形態では、そのフレキシブル基板３０について、上面（感光体ドラム１
６側と反対の面）を発光素子形成面３０ａとし、下面（感光体ドラム１６側の面）を光取
り出し面３０ｂとしている。
【００４２】
図３に示すように、フレキシブル基板３０の発光素子形成面３０ａ上には、その幅方向
方向（Ｘ矢印方向）に複数の発光素子を配置形成した第１露光用発光部Ｈａ１及び第２露
光用発光部Ｈａ２が設けられ、第１露光用発光部Ｈａ１及び第２露光用発光部Ｈａ２は所
定の間隔で形成されている。
【００４３】
第１露光用発光部Ｈａ１及び第２露光用発光部Ｈａ２は、複数の画素形成領域３１が形
成されている。各画素形成領域３１は、図３に示すように、千鳥格子状に２次元に配列さ
れ、それぞれ薄膜トランジスタよりなる駆動トランジスタＱ１、スイッチングトランジス
タＱ２（図８参照）と、発光素子又は第１発光素子又は第２発光素子としての有機エレク
トロルミネッセンス素子（以降、有機ＥＬ素子という）３３等より少なくともなる画素３
４を有している。駆動トランジスタＱ１は、印刷データに基づいて生成されたデータ信号
によってオン状態となり、そのオン状態に基づいて、有機ＥＬ素子３３を発光するように
なっている。
【００４４】
図５に示すように、有機ＥＬ素子３３は、発光素子形成面３０ａ上に形成された光透過
性の回路形成層Ｓの上に形成される。この回路形成層Ｓには、有機ＥＬ素子３３を駆動さ
せるための駆動トランジスタＱ１、スイッチングトランジスタＱ２（図５には図示されて
いない）が形成されている。また、回路形成層Ｓには、第１露光用発光部Ｈａ１及び第２
露光用発光部Ｈａ２の各有機ＥＬ素子３３を選択駆動させるための各種回路（図８参照）
を構成する回路素子が前記画素形成領域３１の外に形成されている。
【００４５】
また、図５に示すように、回路形成層Ｓ上の画素形成領域３１に対応した位置には、各
有機ＥＬ素子３３を千鳥格子状に２次元に配列区画するバンクＢが形成されている。その
バンクＢによって区画された凹部の底部には、ＩＴＯ等の光透過性を有する陽極Ｐａが形
成されている。陽極Ｐａは、対応する駆動トランジスタＱ１とコンタクトホール（図５に
は図示されていない）を介して電気的に接続されている。なお、この陽極Ｐａとコンタク
トホールはバンクＢを形成する前に形成される。
【００４６】
陽極Ｐａの上には、高分子系の有機材料より少なくともなる有機エレクトロルミネッセ
ンス層（以降、有機ＥＬ層という）ＯＥＬが形成されている。有機ＥＬ層ＯＥＬは、正孔
輸送層ＯＥＬ１と発光層ＯＥＬ２の２層より少なくともなる有機化合物層であって、その
上側には、駆動時に発光層ＯＥＬ２に電子を供給する機能を有する電子注入層Ｅｉ、さら
にその上側には、アルミニウム等の光反射性を有する金属膜より少なくともなる陰極Ｐｃ
が形成されている。陰極Ｐｃは、発光素子形成面３０ａ側の略全面を覆うように形成され
、第１露光用発光部Ｈａ１及び第２露光用発光部Ｈａ２の各画素３４が共有することによ
って各有機ＥＬ素子３３に共通する電位を供給するようになっている。そして、有機ＥＬ
素子３３は、これら陽極Ｐａ、有機ＥＬ層ＯＥＬ、電子注入層Ｅｉ及び陰極Ｐｃによって
構成される。
【００４７】
陰極Ｐｃの上側には、接着層Ｌａによって陰極Ｐｃ（フレキシブル基板３０）に接着さ
れる支持基板３８が配設されている。支持基板３８は、平面視方向から見てフレキシブル
基板３０と同サイズに形成される無色透明のプラスチック製のフレキシブル基板であって
、しかも機械的強度を得るために十分な厚さで形成されている。
【００４８】
そして、データ信号に応じた駆動電流が陽極Ｐａに供給されると、有機ＥＬ層ＯＥＬ（
発光層ＯＥＬ２）は、その駆動電流に応じた輝度で発光する。この際、有機ＥＬ層ＯＥＬ
から陰極Ｐｃ側（図５における上側）に向かって発光された光は、同陰極Ｐｃによって反
射される。そのため、有機ＥＬ層ＯＥＬから発光された光は、その殆どが、陽極Ｐａ、回
路形成層Ｓ及びフレキシブル基板３０を透過して光取り出し面３０ｂ側（感光体ドラム１
６側）に照射される。
【００４９】
尚、本実施形態では、第１露光用発光部Ｈａ１の有機ＥＬ素子３３と第２露光用発光部
Ｈａ２の有機ＥＬ素子３３は、その形成条件を相違させている。詳述すると、第１露光用
発光部Ｈａ１の有機ＥＬ素子３３を構成する第１電子注入層材料の仕事関数又はイオン化
ポテンシャルの値が、第２露光用発光部Ｈａ２の有機ＥＬ素子３３を構成する第２電子注
入層材料の仕事関数又はイオン化ポテンシャルの値よりも小さくした。
【００５０】
図６に示すように、電子注入材料の仕事関数又はイオン化ポテンシャルが大きいほど、
寿命が長いことが知られている。そして、高輝度発光する場合には、電子注入材料の仕事
関数又はイオン化ポテンシャルに対する寿命の変化割合は大きく、電子注入材料の仕事関
数又はイオン化ポテンシャルが大きいほど、寿命が長いことが知られている。また、低輝
度発光する場合には、電子注入材料の仕事関数又はイオン化ポテンシャルに対する寿命の
変化割合は高輝度発光より小さく、電子注入材料の仕事関数又はイオン化ポテンシャルが
大きいほど、寿命が長いことが知られている。
【００５１】
また、図７に示すように、一定電圧を有機ＥＬ素子に加えた状態における、電子注入材
料の仕事関数又はイオン化ポテンシャルに対する発光輝度は、電子注入材料の仕事関数又
はイオン化ポテンシャルが小さければ小さいほど、輝度を上げることができることが知ら
れている。
【００５２】
つまり、第２露光用発光部Ｈａ２の有機ＥＬ素子３３を構成する第２電子注入層材料の
仕事関数又はイオン化ポテンシャルを大きくすることにより、小さいものに比べて駆動電
圧を高くして高輝度で発光させても耐久性があり、長寿命につながることを意味している
。また、第１露光用発光部Ｈａ１の有機ＥＬ素子３３に供給する電源電圧が、第２露光用
発光部Ｈａ２の有機ＥＬ素子３３に供給する電源電圧より小さくても、所望の発光輝度で
発光させることができるため、消費電力の低減につながることになる。
【００５３】
図２及び図４に示すように、フレキシブル基板３０の光取り出し面３０ｂであって、第
１露光用発光部Ｈａ１及び第２露光用発光部Ｈａ２の各有機ＥＬ素子３３と対峙する位置
には、それぞれマイクロレンズ４０が形成されている。マイクロレンズ４０は、前記有機
ＥＬ層ＯＥＬから発光される光の波長に対して十分な透過率を有する半球面状の光学面を
備えた凸形状のレンズであって、有機ＥＬ素子３３（有機ＥＬ層ＯＥＬ）の中心位置がそ
の光軸Ａ上に位置するように形成されている。
【００５４】
また、マイクロレンズ４０は、その下側曲面（出射面４０ａ）の頂点と感光層１６ａと
の間の距離を像側焦点距離にして、有機ＥＬ素子３３から光軸Ａに沿って発光された光線
の光軸Ａとの交点（像側焦点Ｆ）を感光層１６ａ上に位置するようになっている。これに
よって、マイクロレンズ４０から出射された光は、感光層１６ａに所望するサイズの露光
スポットを形成できるようになっている。
【００５５】
ラインヘッドＨ（フレキシブル基板３０）は、円弧状の感光体ドラム１６側に湾曲形成
されている。そして、第１露光用発光部Ｈａ１において、千鳥格子状に２次元に配列され
た１列目の各有機ＥＬ素子３３と、２列目の各有機ＥＬ素子３３とを、発光制御すること
によって、感光体ドラム１６の面に対してＸ方向の同一線上に連続した露光スポットを形
成することができる。つまり、１列目の各有機ＥＬ素子３３と２列目の各有機ＥＬ素子３
３から出射された光は、感光体ドラム１６の軸方向（図１において紙面に直交する方向：
主走査方向Ｘ）であって同一線上に並んだ露光スポット（露光用のライン状に光）を感光
層１６ａに露光する。
【００５６】
また、第２露光用発光部Ｈａ２も同様に、１列目の各有機ＥＬ素子３３と２列目の各有
機ＥＬ素子３３から出射された光は、感光体ドラム１６の軸方向（図１において紙面に直
交する方向：主走査方向Ｘ）であって同一線上に並んだ露光スポットを感光層１６ａに露
光する。
【００５７】
しかも、湾曲形成したことによって、第１露光用発光部Ｈａ１が出射形成するライン状
の光を形成する各部分の有機ＥＬ素子３３による露光スポットと、第２露光用発光部Ｈａ
２が出射形成するライン状の光を形成する各部分の有機ＥＬ素子３３による露光スポット
とが、重なるようになっている。つまり、第１露光用発光部Ｈａ１及び第２露光用発光部
Ｈａ２の対応する有機ＥＬ素子３３同士は、それぞれ互いに感光体ドラム１６の感光層１
６ａの同じ点を露光するようになっている。
【００５８】
次に、上記のように構成した露光装置２０の電気的構成を図面に図８に従って説明する
。
図８において、ラインヘッドＨは、第１露光用発光部Ｈａ１、第２露光用発光部Ｈａ２
、第１データ線駆動回路５１、第２データ線駆動回路５２、選択信号生成回路５３及び制
御回路５４を備えている。
【００５９】
第１露光用発光部Ｈａ１及び第２露光用発光部Ｈａ２は、前記千鳥格子状に２次元に配
列された画素領域３１毎にそれぞれ画素回路５６を有している。
【００６０】
第１露光用発光部Ｈａ１の各画素回路５６は、それぞれＭ本のデータ線Ｘａ１〜Ｘａｍ
（ｍは整数）と、選択信号線Ｙ１との間に接続されている。また、第２露光用発光部Ｈａ
２の各画素回路５６は、それぞれＭ本のデータ線Ｘｂ１〜Ｘｂｍ（ｍは整数）と、前記選
択信号線Ｙ１との間に接続されている。
【００６１】
第１露光用発光部Ｈａ１の各画素回路５６は、駆動トランジスタＱ１、スイッチングト
ランジスタＱ２及び保持キャパシタＣ１をそれぞれ備えている。駆動トランジスタＱ１及
びスイッチングトランジスタＱ２は、導電型がＮチャネルの薄膜トランジスタ（ＴＦＴ）
にて構成されている。駆動トランジスタＱ１は、ドレインが有機ＥＬ素子３３の陽極に接
続され、ソースが対応する電源線Ｌに接続されている。駆動トランジスタＱ１のゲートは
保持キャパシタＣ１が接続されている。その保持キャパシタＣ１の他端は、電源線Ｌに接
続されている。
【００６２】
スイッチングトランジスタＱ２はゲートが選択信号線Ｙ１に接続されている。また、ス
イッチングトランジスタＱ２は、ドレインが対応するデータ線Ｘａ１〜Ｘａｍにそれぞれ
接続され、ソースが駆動トランジスタＱ１のゲート及び保持キャパシタＣ１の一端と接続
されている。
【００６３】
因みに、第２露光用発光部Ｈａ２の各画素回路５６は、駆動トランジスタＱ１のソース
が電源線Ｌに接続されるとともに、スイッチングトランジスタＱ２のドレインが対応する
データ線Ｘｂ１〜Ｘｂｍにそれぞれ接続される。
【００６４】
そして、選択信号線Ｙ１に選択信号Ｓ１が所定期間出力されると、各画素回路５６のス
イッチングトランジスタＱ２が所定期間オンしてデータ線Ｘａ１〜Ｘａｍ，Ｘｂ１〜Ｘｂ
ｍを介してデータ信号Ｄａ１〜Ｄａｍ，Ｄｂ１〜Ｄｂｍがそれぞれ供給される。すると、
データ信号Ｄａ１〜Ｄａｍ，Ｄｂ１〜ＤｂｍがスイッチングトランジスタＱ２を介して保
持キャパシタＣ１にそれぞれ供給される。各画素回路５６の保持キャパシタＣ１はデータ
信号Ｄａ１〜Ｄａｍ，Ｄｂ１〜Ｄｂｍに対応した電荷量を蓄積し保持する。また、各画素
回路５６の駆動トランジスタＱ１のゲート端子の電位はデータ信号Ｄａ１〜Ｄａｍ，Ｄｂ
１〜Ｄｂｍにより押し上げられ、駆動トランジスタＱ１ドレイン／ソースにデータ信号Ｄ
ａ１〜Ｄａｍ，Ｄｂ１〜Ｄｂｍに応じた駆動電流をそれぞれ有機ＥＬ素子３３に供給する
。この駆動電流は、保持キャパシタＣ１に蓄積されたデータ信号Ｄａ１〜Ｄａｍ，Ｄｂ１
〜Ｄｂｍに応じた電荷量に相対した値となる。
【００６５】
つまり、各画素回路５６の駆動トランジスタＱ１は、対応するデータ信号Ｄａ１〜Ｄａ
ｍ，Ｄｂ１〜Ｄｂｍにそれぞれ応答して導通し、その導通状態が保持されて各有機ＥＬ素
子３３に駆動電流を供給する。すると、このタイミングで各画素回路５６の有機ＥＬ素子
３３がそれぞれデータ信号Ｄａ１〜Ｄａｍ，Ｄｂ１〜Ｄｂｍに相対した輝度で発光する。
【００６６】
第１データ線駆動回路５１は、制御回路５４からの第１露光用発光部Ｈａ１の各画素回
路５６に対する第１の階調データに基づいて各画素回路５６のデータ信号Ｄａ１〜Ｄａｍ
を生成する。そして、第１データ線駆動回路５１は、制御回路５４からの同期信号に基づ
いて生成したデータ信号Ｄａ１〜Ｄａｍをそれぞれ対応する画素回路５６にデータ線Ｘａ
１〜Ｘａｍを介して供給する。
【００６７】
第２データ線駆動回路５２は、制御回路５４からの第２露光用発光部Ｈａ２の各画素回
路５６に対する第２の階調データに基づいて各画素回路５６のデータ信号Ｄｂ１〜Ｄｂｍ
を生成する。そして、第２データ線駆動回路５２は、制御回路５４からの前記同期信号に
基づいて生成したデータ信号Ｄｂ１〜Ｄｂｍをそれぞれ対応する画素回路５６にデータ線
Ｘｂ１〜Ｘｂｍを介して供給する。
【００６８】
制御回路５４は、外部制御装置から供給される印刷データに基づいて作成された１ライ
ン分の露光データを順次入力する。制御回路５４は、該露光データに基づいて第１データ
線駆動回路５１に供給する第１の階調データと第２データ線駆動回路５２に供給する第２
の階調データを生成する。
【００６９】
１ライン分の露光データは、前記感光体ドラム１６の軸方向であって同一線上に並んだ
各露光スポット（露光用のライン状に光）を露光するときの各露光スポットに対応して設
けた有機ＥＬ素子３３を発光させる際の階調データである。有機ＥＬ素子３３は、本実施
形態では、発光輝度を２５６段階（２５６階調）に発光制御できるようになっている。そ
して、以後説明の便宜上、１２７階調以下の発光輝度を低輝度発光といい、１２８階調以
上の発光輝度を高輝度という。
【００７０】
制御回路５４は、低輝度発光の場合は第１露光用発光部Ｈａ１の有機ＥＬ素子３３を駆
動させ、高輝度発光させる場合は第２露光用発光部Ｈａ２の有機ＥＬ素子３３を駆動させ
るように、第１階調データと第２階調データを生成する。
【００７１】
例えば、１番目の露光スポットの画素回路５６の階調データが「１００」階調（低輝度
発光）で、２番目の露光スポットの画素回路５６の階調データが「２００」階調（高輝度
発光）、３番目の露光スポットの画素回路５６の階調データが「２２０」階調（高輝度発
光）で、４番目の露光スポットの画素回路５６の階調データが「９０」階調（低輝度発光
）であったとする。
【００７２】
制御回路５４は、第１露光用発光部Ｈａ１のための第１の階調データを、第１番目と第
４番目の露光スポットの画素回路５６に対してそれぞれ「１００」階調の階調データと「
９０」階調の階調データを、第２番目と第３番目の露光スポットの画素回路５６に対して
「０」階調の階調データを作成する。つまり、第１露光用発光部Ｈａ１の第２番目と第３
番目の露光スポットの画素回路５６（有機ＥＬ素子３３）を発光させない第１の階調デー
タを作成する。
【００７３】
一方、制御回路５４は、第２露光用発光部Ｈａ２のための第２の階調データを、第２番
目と第３番目の露光スポットの画素回路５６に対してそれぞれ「２００」階調の階調デー
タと「２２０」階調の階調データを、第１番目と第４番目の露光スポットの画素回路５６
に対して「０」階調の階調データを作成する。つまり、第２露光用発光部Ｈａ２の第１番
目と第４番目の露光スポットの画素回路５６（有機ＥＬ素子３３）を発光させない第２の
階調データを作成する。
【００７４】
詳述すると、第１番目と第４番目の露光スポットは、第１露光用発光部Ｈａ１の画素回
路５６（有機ＥＬ素子３３）の光で露光され、第２番目と第３番目の露光スポットは、第
２露光用発光部Ｈａ２の画素回路５６（有機ＥＬ素子３３）の光で露光されるようになる
。
【００７５】
つまり、低輝度発光の場合には第１露光用発光部Ｈａ１の有機ＥＬ素子３３を駆動させ
、高輝度発光に場合は第２露光用発光部Ｈａ２の有機ＥＬ素子３３を駆動させことによっ
て、第１露光用発光部Ｈａ１の有機ＥＬ素子３３と第２露光用発光部Ｈａ２の有機ＥＬ素
子３３とを役割分担させている。
【００７６】
しかも、本実施形態では、第２露光用発光部Ｈａ２の有機ＥＬ素子３３は、その第２電
子注入層材料の仕事関数又はイオン化ポテンシャルの値が、第１露光用発光部Ｈａ１に設
けた有機ＥＬ素子３３を構成する第１電子注入層材料の仕事関数又はイオン化ポテンシャ
ルの値より、大きく構成されているので、駆動電圧を高くして高輝度発光させても、充分
に寿命に耐えるものとなる。言い換えれば、第１露光用発光部Ｈａ１に設けた有機ＥＬ素
子３３は、高輝度発光が行われることがないので、長寿命化につながる。
【００７７】
従って、制御回路５４は、１ライン分の露光データに基づいて、各露光スポットのおけ
る発光輝度が高輝度発光か低輝度発光を判別し、各露光スポット毎に階調データを振り分
けして第１露光用発光部Ｈａ１の画素回路５６のための第１の階調データと第２露光用発
光部Ｈａ２の画素回路５６のための第２の階調データを生成する。そして、制御回路５４
は、第１の階調データと第２の階調データを作成すると、それぞれ第１データ線駆動回路
５１と第２データ線駆動回路５２に供給する。
【００７８】
第１データ線駆動回路５１は、制御回路５４からの第１の階調データに基づいてデータ
信号Ｄａ１〜Ｄａｍを生成する。また、第２データ線駆動回路５２は、制御回路５４から
の第２の階調データに基づいてデータ信号Ｄｂ１〜Ｄｂｍを生成する。第１データ線駆動
回路５１及び第２データ線駆動回路５２は、制御回路５４からの同期信号に応答してデー
タ信号Ｄａ１〜Ｄａｍ，Ｄｂ１〜Ｄｂｍを対応する画素回路５６にデータ線Ｘａ１〜Ｘａ
ｍ，Ｘｂ１〜Ｘｂｍを介してそれぞれ供給する。
【００７９】
また、制御回路５４は、選択信号生成回路５３に同期信号を出力する。選択信号生成回
路５３は、同期信号に基づいて選択信号Ｓ１を生成する。そして、選択信号生成回路５３
は、前記第１データ線駆動回路５１及び第２データ線駆動回路５２がデータ信号Ｄａ１〜
Ｄａｍ，Ｄｂ１〜Ｄｂｍを供給するタイミングで、選択信号Ｓ１を選択信号線Ｙ１に所定
時間出力するようになっている。
【００８０】
次に、上記のように構成した露光装置２０の作用について説明する。
【００８１】
いま、１ライン分の露光データを入力すると、制御回路５４は各露光スポットのおける
発光輝度が高輝度発光か低輝度発光を判別し、露光スポット毎に該露光スポットにおける
露光データが低輝度発光ならば第１露光用発光部Ｈａ１の第１の階調データに、高輝度発
光ならば第２露光用発光部Ｈａ２の第２の階調データに振り振り分ける。このとき、第１
露光用発光部Ｈａ１及び第２露光用発光部Ｈａ２の画素回路５６において露光スポットに
おける露光データが振り分けられなかった画素回路５６については、「０」階調のデータ
が割り当てられる。
【００８２】
そして、第１データ線駆動回路５１は、第１の階調データに基づいて第１露光用発光部
Ｈａ１の各画素回路５６に対するデータ信号Ｄａ１〜Ｄａｍを生成しそれぞれ対応する画
素回路５６にデータ線Ｘａ１〜Ｘａｍを介して供給する。同時に、第２データ線駆動回路
５２は、第２の階調データに基づいて第２露光用発光部Ｈａ２の各画素回路５６に対する
データ信号Ｄｂ１〜Ｄｂｍを生成しそれぞれ対応する画素回路５６にデータ線Ｘｂ１〜Ｘ
ｂｍを介して供給する。
【００８３】
そして、感光体ドラム１６に出射される露光用のライン状に光を構成する各露光スポッ
トは、低照度（低輝度発光）の場合には第１露光用発光部Ｈａ１の有機ＥＬ素子３３の光
で、高照度（高輝度発光）の場合には第２露光用発光部Ｈａ２の有機ＥＬ素子３３の光で
露光される。
【００８４】
次に、上記のように構成した本実施形態の効果を以下に記載する。
【００８５】
（１）本実施形態によれば、ラインヘッドＨに、感光体ドラム１６に出射される露光用
のライン状に光を構成する各露光スポットに光をそれぞれ出射する有機ＥＬ素子３３を有
する第１露光用発光部Ｈａ１を設けた。また、ラインヘッドＨに、同じく感光体ドラム１
６に出射される露光用のライン状に光を構成する各露光スポットに光をそれぞれ出射する
有機ＥＬ素子３３を有する第２露光用発光部Ｈａ２を設けた。そして、第１露光用発光部
Ｈａ１及び第２露光用発光部Ｈａ２の対応する有機ＥＬ素子３３同士を、それぞれ互いに
感光体ドラム１６の感光層１６ａの同じ露光スポットを露光するようにした。
【００８６】
そして、各露光スポットにおいて、低輝度発光で露光する場合には第１露光用発光部Ｈ
ａ１の有機ＥＬ素子３３を発光させ、高輝度発光で露光する場合には第２露光用発光部Ｈ
ａ２の有機ＥＬ素子３３を発光させるようにした。
【００８７】
従って、露光する輝度に応じて第１露光用発光部Ｈａ１の有機ＥＬ素子３３と第２露光
用発光部Ｈａ２の有機ＥＬ素子３３を使い分けるようにしたので、第１露光用発光部Ｈａ
１及び第２露光用発光部Ｈａ２の有機ＥＬ素子３３の負荷は軽減される。その結果、消耗
品であるラインヘッドＨの交換時期を長くすることができ、プリンタ１０において、メン
テナンスのための負荷を軽減することができる。
【００８８】
（２）しかも、本実施形態によれば、第２露光用発光部Ｈａ２の有機ＥＬ素子３３を構
成する第２電子注入層材料の仕事関数又はイオン化ポテンシャルの値を、第１露光用発光
部Ｈａ１の有機ＥＬ素子３３を構成する第１電子注入層材料の仕事関数又はイオン化ポテ
ンシャルの値より大きくなるよう構成した。つまり、高い駆動電圧で高輝度発光させる第
２露光用発光部Ｈａ２の有機ＥＬ素子３３の第２電子注入層材料の仕事関数又はイオン化
ポテンシャルの値を、第１露光用発光部Ｈａ１に設けた有機ＥＬ素子３３の第１電子注入
層材料の仕事関数又はイオン化ポテンシャルの値より、大きくなるよう構成した。
【００８９】
従って、第２露光用発光部Ｈａ２の有機ＥＬ素子３３は駆動電圧を高くして高輝度発光
させても、寿命を延ばすことができ、消耗品であるラインヘッドＨの交換時期をさらに長
くすることができる。
【００９０】
（３）本実施形態によれば、第１露光用発光部Ｈａ１の有機ＥＬ素子３３は、低輝度発
光でしかも、その第１電子注入層材料の仕事関数又はイオン化ポテンシャルの値は小さい
ので、第１露光用発光部Ｈａ１の各有機ＥＬ素子３３に印加する発光輝度に対する駆動電
圧を小さくすることができるため、消費電力の低減を図ることができる。
【００９１】
（４）本実施形態によれば、ラインヘッドＨを、湾曲形成できるアクリル樹脂よりなる
フレキシブル基板３０で形成した。従って、第１露光用発光部Ｈａ１及び第２露光用発光
部Ｈａ２の対応する有機ＥＬ素子３３同士を、それぞれ互いに感光体ドラム１６の感光層
１６ａの同じ点を露光する位置合わせることが容易になる。
【００９２】
尚、上記実施形態は以下のように変更してもよい。
【００９３】
・上記実施形態では、第１露光用発光部Ｈａ１及び第２露光用発光部Ｈａ２は、千鳥格
子状に２次元に、すなわち、２列に有機ＥＬ素子３３を配列して形成したが、１列又は３
列以上より少なくともなる有機ＥＬ素子３３を配列して第１露光用発光部Ｈａ１及び第２
露光用発光部Ｈａ２を形成して実施してもよい。
【００９４】
・上記実施形態では、ラインヘッドＨは、第１露光用発光部Ｈａ１及び第２露光用発光
部Ｈａ２の二つの発光部で構成したが、３つ以上の発光部を構成して実施してもよい。こ
の場合、発光輝度を、発光部の数に合わせて区分し、露光データに基づいて、それぞれの
発光部の発光素子（有機ＥＬ素子）を選択し発光制御することになる。
【００９５】
・上記実施形態では、プリンタ１０をタンデム型カラープリンタとして具体化したが、
露光装置２０が１つより少なくともなるモノクロプリンタに応用してもよい。
【００９６】
・上記実施形態では、発光素子を有機ＥＬ素子３３で具体化したが、無機ＥＬ素子やＬ
ＥＤ等その他発光素子で具体化してもよい。
【００９７】
・上記実施形態では、アクリル樹脂より少なくともなるフレキシブル基板３０として具
体化したが、これに限らず、要は、湾曲形成できればよく基板であればよく、例えばポリ
イミド等のプラスチック基板であってもよい。
【００９８】
・上記実施形態では、有機ＥＬ素子３３の発光を制御する画素回路５６について、２個
のトランジスタ（駆動トランジスタＱ１、スイッチングトランジスタＱ２）を備える構成
にした。これに限らず、有機ＥＬ素子３３の発光を制御するトランジスタを３個以上備え
る構成にしてもよく、あるいは、反対にフレキシブル基板３０に備えない構成にしてもよ
い。
【００９９】
・上記実施形態では、フレキシブル基板３０に、第１露光用発光部Ｈａ１、第２露光用
発光部Ｈａ２、第１データ線駆動回路５１、第２データ線駆動回路５２、選択信号生成回
路５３及び制御回路５４を備えた構成にしたが、第１露光用発光部Ｈａ１及び第２露光用
発光部Ｈａ２を除いた他の回路又は一部を、フレキシブル基板３０以外の基板に形成して
実施してもよい。
【図面の簡単な説明】
【０１００】
【図１】第１実施形態の画像形成装置を示す概略側断面図。
【図２】同じく、露光装置を示す概略正断面図。
【図３】同じく、露光装置を感光体ドラム側からみた図。
【図４】同じく、ラインヘッドと感光体ドラムとの関係を示す説明図。
【図５】同じく、有機ＥＬ素子を説明するための拡大断面図。
【図６】同じく、高輝度発光と低輝度発光における有機ＥＬ素子の電子注入材料の仕事関数又はイオン化ポテンシャルの値に対する寿命との関係を示す図。
【図７】同じく、有機ＥＬ素子の電子注入材料の仕事関数又はイオン化ポテンシャルの値に対する一定電圧における輝度の関係を示す図。
【図８】同じく、露光装置の電気的構成を説明するための電気回路図。
【符号の説明】
【０１０１】
１０…画像形成装置としての電子写真方式プリンタ、１５…転写媒体としての中間転写
ベルト、１６…像担持体としての感光体ドラム、１９…帯電手段としての帯電ローラ、２
０…発光装置としての有機エレクロトルミネッセンスアレイ露光装置、２１…現像手段と
してのトナーカートリッジ、２２…一次転写ローラ、２６…二次転写ローラ、３０…フレ
キシブル基板、３０ａ…発光素子形成面、３０ｂ…光取り出し面、３３…発光素子又は第
１発光素子又は第２発光素子としての有機エレクトロルミネッセンス素子、４０…マイク
ロレンズ、５１…第１データ線駆動回路、５２…第２データ線駆動回路、５３…選択信号
生成回路、５４…制御回路、ＯＥＬ…有機エレクロトルミネッセンス層、ＯＥＬ１…正孔
輸送層、ＯＥＬ２…発光層、Ｅｉ…電子注入層、Ｐｃ…陰極、Ｐａ…陽極、Ｈ…ラインヘ
ッド、Ｈａ１…発光部又は第１発光部としての第１露光用発光部、Ｈａ２…発光部又は第
２発光部としての第２露光用発光部。
【図１】
2008062411.tif 000003
【図２】
2008062411.tif 000004
【図３】
2008062411.tif 000005
【図４】
2008062411.tif 000006
【図５】
2008062411.tif 000007
【図６】
2008062411.tif 000008
【図７】
2008062411.tif 000009
【図８】
2008062411.tif 000010